(57)【要約】【課題】容易にかつ低コストにてコンテンツデータを配信することができるデータ配信装置等を提供することを目的とする。【解決手段】サーバ装置３００は、携帯用電話機１００にて表示出力または拡声出力の少なくとも何れか一方の出力態様によって出力されるコンテンツデータを配信するとともに、携帯用電話機１００の種別に基づいて配信される各コンテンツデータ毎に携帯用電話機１００の種別毎に当該各コンテンツデータが当該携帯用電話機１００にて出力される際の出力特性を示す特性データを配信する。一方、携帯用電話機１００は、サーバ装置３００から取得した音データを再生する際には、当該音データとともに取得した特性データに基づいて、当該音データの周波数特性を調整して音を拡声するようになっている。【選択図】図１
2007116315.tif 000002
【特許請求の範囲】
【請求項１】
通信端末装置にコンテンツデータを配信するデータ配信装置において、
通信端末装置にて表示出力または拡声出力の少なくとも何れか一方の出力態様によって出力されるコンテンツデータと各コンテンツデータ毎にかつ前記通信端末装置の種別毎に当該各コンテンツデータが当該通信端末装置にて出力される際の出力特性を示す特性データとが予め記憶されたデータベースと、
前記通信端末装置における指示に基づいて、当該通信端末装置によって指定された前記コンテンツデータを当該通信端末装置に配信する第１配信手段と、
前記コンテンツデータが配信される通信端末装置に対して、当該通信端末装置の種別に基づいて、当該配信されるコンテンツデータにおける前記特性データを配信する第２配信手段と、
を備えることを特徴とするデータ配信装置。
【請求項２】
請求項１に記載のデータ配信装置において、
前記データベースには、各コンテンツデータとして音データが記憶されているとともに、前記特性データとして前記通信端末装置にて音データが拡声出力される際の拡声に関する周波数特性を調整するためのデータが記憶されていることを特徴とするデータ配信装置。
【請求項３】
請求項１に記載のデータ配信装置において、
前記データベースには、各コンテンツデータとして通信端末装置に表示される画像を構成する画像構成データが記憶されているとともに、前記特性データとして前記通信端末装置にて画像構成データが表示出力される際の表示に関する特性を調整するためのデータが記憶されていることを特徴とするデータ配信装置。
【請求項４】
請求項３に記載のデータ配信装置において、
前記データベースには、前記特性データとして前記画像構成データを加工することによって前記通信端末装置にて表示出力される際の表示に関する特性を調整するためのデータが記憶されていることを特徴とするデータ配信装置。
【請求項５】
請求項１乃至４の何れか一項に記載のデータ配信装置において、
前記特性データを配信する際に、当該特性データが配信される通信端末装置の種別を判断する判断手段を更に備え、
前記第２配信手段が、前記判断された通信端末装置の種別に基づいて当該配信されるコンテンツデータにおける前記特性データを配信することを特徴とするデータ配信装置。
【請求項６】
通信端末装置にコンテンツデータを配信するデータ配信方法において、
データ配信装置に予め記憶された前記コンテンツデータであって、前記通信端末装置における指示に基づいて、通信端末装置にて表示出力または拡声出力の少なくとも何れか一方の出力態様によって出力されるコンテンツデータを当該通信端末装置に配信する第１配信工程と、
前記コンテンツデータが配信される通信端末装置に対して、前記各コンテンツデータ毎にかつ前記通信端末装置の種別毎に前記データベースに予め記憶されたデータであって、当該各コンテンツデータが当該通信端末装置にて出力される際の出力特性を示す特性データを、当該通信端末装置の種別に基づいて配信する第２配信工程と、
を含むことを特徴とするデータ配信方法。
【請求項７】
請求項６に記載のデータ配信方法において、
前記通信端末装置が前記配信された特性データに基づいて、前記コンテンツデータの出力態様における特性を調整しつつ、当該コンテンツデータの表示出力または拡声出力の少なくとも何れか一方の出力を行う出力工程と、
を更に含むことを特徴とするデータ配信方法。
【請求項８】
コンテンツデータを取得して表示出力または拡声出力の少なくとも何れか一方の出力態様によってデータ出力を行う通信端末装置であって、
前記コンテンツデータを配信するデータ配信装置から通信回線を介して当該コンテンツデータを取得する第１取得手段と、
自己の通信端末装置における種別に基づいて、当該通信端末装置にて表示される際の表示に関する表示特性または当該通信端末装置の拡声される際の拡声に関する周波数特性の何れか一方の出力特性を示す特性データを、前記取得されたコンテンツデータの出力態様に応じて取得する第２取得手段と、
前記取得したコンテンツデータを前記出力態様に応じて出力する出力制御手段と、
前記取得されたコンテンツデータを出力する際に、前記取得された特性データに基づいて出力されるコンテンツデータにおける出力特性を調整する調整手段と、
を備えることを特徴とする通信端末装置。
【発明の詳細な説明】
【技術分野】
【０００１】
本発明は、データを拡声出力または表示出力する機能を有する通信端末装置に対してデータを配信するデータ配信装置の分野に属する。
【背景技術】
【０００２】
近年、無線通信技術や種々の回路素子および表示装置の小型化など、周辺技術の発達に伴って、携帯用電話機などの通信端末装置が急速に普及している。また、これらの通信端末装置が普及するにつれて、当該通信端末装置を音データまたは動画像を含む画像データの再生機として用いること、または、情報提供者が第三者に提供しているホームページなどのドキュメントデータの閲覧や所定のデータの取得を行うための端末機として用いることなど、音データ、画像データまたはドキュメントデータに基づく種々の機能が拡張された通信端末装置も普及している。
【０００３】
特に、最近では、各通信端末装置において、音データ、画像データまたはドキュメントデータなどのコンテンツデータを利用する際のデータ形式の種類に対応させてコンテンツデータ毎に各データ形式に沿ったデータを不要にし、一種類のデータのみによってコンテンツデータを配信するデータ配信方法が知られている。
【０００４】
具体的には、このコンテンツデータのデータ配信方法は、各コンテンツデータをサーバ装置から通信端末装置に配信する際に当該通信端末装置にて用いるデータ形式に沿ってコンテンツデータを加工する中継装置を用いて行うようになっている。この中継装置は、コンテンツデータをサーバ装置から通信端末装置に向けて送信する際に、当該コンテンツデータを受信する通信端末装置におけるコンテンツデータを利用する際の利用情報に基づいて加工し、加工後のコンテンツデータを通信端末装置に送信するようになっている（例えば、特許文献１）。
【特許文献１】特許３５５４６９２号公報
【発明の開示】
【発明が解決しようとする課題】
【０００５】
しかしながら、上述のような中継装置または中継装置を用いたデータ配信方法にあっては、中継装置を用いることまたは中継装置を介してデータを配信することから、中継装置の設置などの通信システム、配信におけるサーバ装置および通信端末装置の手順、または、それに基づく各装置の構成とその配信方法を構築し直す必要があるため、コンテンツデータを、容易にかつ低コストにて配信することができない。
【０００６】
本発明は、上記の課題の一例を解決するものとして、容易にかつ低コストにてコンテンツデータを配信することができるデータ配信装置またはデータ配信方法を提供することを目的とする。
【課題を解決するための手段】
【０００７】
上記の課題を解決するために、請求項１に記載の発明は、通信端末装置にコンテンツデータを配信するデータ配信装置において、通信端末装置にて表示出力または拡声出力の少なくとも何れか一方の出力態様によって出力されるコンテンツデータと各コンテンツデータ毎にかつ前記通信端末装置の種別毎に当該各コンテンツデータが当該通信端末装置にて出力される際の出力特性を示す特性データとが予め記憶されたデータベースと、前記通信端末装置における指示に基づいて、当該通信端末装置によって指定された前記コンテンツデータを当該通信端末装置に配信する第１配信手段と、前記コンテンツデータが配信される通信端末装置に対して、当該通信端末装置の種別に基づいて、当該配信されるコンテンツデータにおける前記特性データを配信する第２配信手段と、を備える構成を有している。
【０００８】
この構成によれば、請求項１に記載のデータ配信装置は、通信端末装置における指示に基づいて、コンテンツデータを当該通信端末装置に配信するとともに、コンテンツデータが配信される通信端末装置に対して、当該通信端末装置の種別に基づいて、各コンテンツデータが当該通信端末装置にて出力される際の出力特性を示す特性データを配信する。
【０００９】
したがって、請求項１に記載のデータ配信装置は、通信端末装置において特性データに基づいてコンテンツデータを出力させることによって、通信端末装置の種別毎に特性データを用意すれば、通信端末装置の種別毎にコンテンツデータを用意する必要もなく、種々の通信端末装置にて各コンテンツデータを的確に出力させることができるので、容易にかつ低コストにてコンテンツデータを配信することができる。
【００１０】
また、請求項２に記載の発明は、請求項１に記載のデータ配信装置において、前記データベースには、各コンテンツデータとして音データが記憶されているとともに、前記特性データとして前記通信端末装置にて音データが拡声出力される際の拡声に関する周波数特性を調整するためのデータが記憶されている構成を有している。
【００１１】
この構成により、請求項２に記載の発明は、通信端末装置の種別毎に特性データを用意すれば、的確に音データを再生させることができるので、制作者の意図を反映させることができる音データの配信を容易にかつ低コストにて行うことができる。
【００１２】
また、請求項３に記載の発明は、請求項１に記載のデータ配信装置において、前記データベースには、各コンテンツデータとして通信端末装置に表示される画像を構成する画像構成データが記憶されているとともに、前記特性データとして前記通信端末装置にて画像構成データが表示出力される際の表示に関する特性を調整するためのデータが記憶されている構成を有している。
【００１３】
この構成により、請求項３に記載の発明は、通信端末装置の種別毎に特性データを用意すれば、的確に画像構成データを表示させることができるので、制作者の意図を反映させることができる画像構成データの配信を容易にかつ低コストにて行うことができる。
【００１４】
また、請求項４に記載の発明は、請求項３に記載のデータ配信装置において、前記データベースには、前記特性データとして前記画像構成データを加工することによって前記通信端末装置にて表示出力される際の表示に関する特性を調整するためのデータが記憶されている構成を有している。
【００１５】
この構成により、請求項４に記載の発明は、通信端末装置の種別毎に特性データを用意すれば、的確にドキュメントデータを表示させることができるので、通信端末装置毎の機種特性を考慮しつつ、かつ、容易にかつ低コストにてドキュメントデータの配信を行うことができる。
【００１６】
また、請求項５に記載の発明は、請求項１乃至４の何れか一項に記載のデータ配信装置において、前記特性データを配信する際に、当該特性データが配信される通信端末装置の種別を判断する判断手段を更に備え、前記第２配信手段が、前記判断された通信端末装置の種別に基づいて前記特性データを配信する構成を有している。
【００１７】
この構成により、請求項５に記載の発明は、特性データを配信する際に、当該特性データが配信される通信端末装置の種別を判断し、判断された通信端末装置の種別に基づいて特性データを配信する。
【００１８】
したがって、請求項５に記載の発明は、コンテンツデータの配信指示を行う際に、通信端末装置のユーザにおける当該通信端末装置の種別の特定を行うための操作が不要となるので、当該ユーザのコンテンツデータの配信時における煩雑さを解消させることができる。
【００１９】
また、請求項６に記載の発明は、通信端末装置にコンテンツデータを配信するデータ配信方法において、データ配信装置に予め記憶された前記コンテンツデータであって、前記通信端末装置における指示に基づいて、通信端末装置にて表示出力または拡声出力の少なくとも何れか一方の出力態様によって出力されるコンテンツデータを当該通信端末装置に配信する第１配信工程と、前記コンテンツデータが配信される通信端末装置に対して、前記各コンテンツデータ毎にかつ前記通信端末装置の種別毎に前記データベースに予め記憶されたデータであって、当該各コンテンツデータが当該通信端末装置にて出力される際の出力特性を示す特性データを、当該通信端末装置の種別に基づいて配信する第２配信工程と、を含む構成を有している。
【００２０】
この構成によれば、請求項６に記載のデータ配信装置は、通信端末装置における指示に基づいて、コンテンツデータを当該通信端末装置に配信するとともに、コンテンツデータが配信される通信端末装置に対して、当該通信端末装置の種別に基づいて、各コンテンツデータが当該通信端末装置にて出力される際の出力特性を示す特性データを配信する。
【００２１】
したがって、請求項６に記載のデータ配信装置は、通信端末装置において特性データに基づいてコンテンツデータを出力させることによって、通信端末装置の種別毎に特性データを用意すれば、通信端末装置の種別毎にコンテンツデータを用意する必要もなく、種々の通信端末装置にて各コンテンツデータを的確に出力させることができるので、容易にかつ低コストにてコンテンツデータを配信することができる。
【００２２】
また、請求項７に記載の発明は、請求項６に記載のデータ配信方法において、前記通信端末装置が前記配信された特性データに基づいて、前記コンテンツデータの出力態様における特性を調整しつつ、当該コンテンツデータを前記通信端末装置にて表示出力または拡声出力の少なくとも何れか一方の出力を行う出力工程と、を更に含む構成を有している。
【００２３】
この構成により、請求項７に記載の発明は、通信端末装置が配信された特性データに基づいて、コンテンツデータの出力態様における特性を調整しつつ、当該コンテンツデータの表示出力または拡声出力の少なくとも何れか一方の出力を行う。
【００２４】
したがって、請求項７に記載の発明は、当該通信端末装置毎の出力特性に基づいてコンテンツデータを出力させることによって、一のコンテンツデータを用意するだけであっても、各通信端末装置において的確に出力させることができるので、容易にかつ低コストにてコンテンツデータを配信することができる。
【００２５】
また、請求項８に記載の発明は、コンテンツデータを取得して表示出力または拡声出力の少なくとも何れか一方の出力態様によってデータ出力を行う通信端末装置であって、前記コンテンツデータを配信するデータ配信装置から通信回線を介して当該コンテンツデータを取得する第１取得手段と、自己の通信端末装置における種別に基づいて、当該通信端末装置にて表示される際の表示に関する表示特性または当該通信端末装置の拡声される際の拡声に関する周波数特性の何れか一方の出力特性を示す特性データを、前記取得されたコンテンツデータの出力態様に応じて取得する第２取得手段と、前記取得したデータを前記出力態様に応じて出力する出力制御手段と、前記取得されたコンテンツデータを出力する際に、前記取得された特性データに基づいて出力されるコンテンツデータにおける出力特性を調整する調整手段と、を備える構成を有している。
【００２６】
この構成により、請求項８に記載の発明は、自己の通信端末装置における種別に基づいて、当該通信端末装置にて表示される際の表示に関する表示特性または当該通信端末装置の拡声される際の拡声に関する周波数特性の何れか一方の出力特性を示す特性データを、取得されたコンテンツデータの出力態様に応じて取得するとともに、前記取得されたコンテンツデータを出力する際に、取得された特性データに基づいて出力されるコンテンツデータにおける出力特性を調整する。
【００２７】
したがって、請求項８に記載の通信端末装置は、通信端末装置において特性データに基づいてコンテンツデータを出力させることによって、通信端末装置の種別毎に特性データを用意すれば、通信端末装置の種別毎にコンテンツデータを用意する必要もなく、種々の通信端末装置にて各コンテンツデータを的確に出力させることができるので、容易にかつ低コストにてコンテンツデータを配信することができる。
【発明の効果】
【００２８】
本願発明は、通信端末装置において特性データに基づいてコンテンツデータを出力させることによって、通信端末装置の種別毎に特性データを用意すれば、通信端末装置の種別毎にコンテンツデータを用意する必要もなく、種々の通信端末装置にて各コンテンツデータを的確に出力させることができるので、容易にかつ低コストにてコンテンツデータを配信することができる。
【発明を実施するための最良の形態】
【００２９】
次に、本発明に好適な実施の形態について、図面に基づいて説明する。
【００３０】
以下に説明する実施の形態は、音データまたは動画像データのコンテンツデータの再生機能を有する携帯用電話機に対して当該コンテンツデータを配信するデータ配信システムまたはデータ配信サーバ装置に対して本願のデータ配信装置、データ配信方法および通信端末装置を適用した場合の実施形態である。
【００３１】
〔第１実施形態〕
はじめに、図１〜図５を用いてコンテンツデータを携帯用電話機に配信するデータ配信システムの第１実施形態について説明する。
【００３２】
まず、図１を用いて本実施形態のデータ配信システムの構成および当該データ配信システムを構成する装置の概略動作について説明する。
【００３３】
なお、本実施形態のデータ配信システムの構成を示すブロック図である。また、本実施形態では、コンテンツデータとして音データを用いるとともに、特性データとして当該音データの拡声される際の周波数特性を示すデータを用いて説明する。
【００３４】
本実施形態のデータ配信システムＳは、図１に示すように、音データを再生して拡声する複数の携帯用電話機１００と、任意の場所に固定設置され、音データを携帯用電話機１００に配信するデータ配信サーバ装置（以下、単に「サーバ装置」という。）３００と、から構成される。
【００３５】
本実施形態の各携帯用電話機１００は、他の電話機との通話を行う際の着信音として、または、電子メールなどの他の通信端末装置と通信を行う際の着信音として予め設定された着信メロディなどの音データを拡声すること、および、サーバ装置３００等から取得した楽音（楽曲）などの音データを視聴目的にて拡声することができるようになっている。
【００３６】
また、この携帯用電話機１００は、インターネットと移動パケット通信網とが中継交換局ＢＳを介してネットワークＮに接続され、サーバ装置３００と通信回線を確立するようになっており、当該音データと、音データが拡声される際に当該音データの周波数特性を調整するための特性データと、をサーバ装置３００からネットワークＮを介して取得するようになっている。
【００３７】
そして、この携帯用電話機１００は、取得した音データを再生する際には、当該音データとともに取得した特性データに基づいて、当該音データの周波数特性を調整し、当該携帯用電話機１００に設けられた拡声用のスピーカによって着信メロディまたは楽音などの音を拡声するようになっている。
【００３８】
次に、図２を用いて本実施形態における携帯用電話機１００の構成について説明する。なお、図２は、本実施形態における携帯用電話機１００の構成を示す構成図である。
【００３９】
本実施形態の携帯用電話機１００は、図２に示すように、図示しないアンテナを介して他の通信端末装置またはサーバ装置３００との通信を行う電話機用通信制御部１１０と、所定のサーバ装置３００から取得された音データおよび特性データが格納されるデータ格納部１２０と、着信時にまたは操作者の操作に基づいて予め格納された音データを再生し、オーディオデータを出力するデータ再生部１３０と、出力されたオーディオデータに対して特性データに基づく周波数特性の調整、音信号への変換などの音処理（以下、「ＤＳＰ（Digital Signal Processor）処理」という。）を行うＤＳＰ処理部１４０と、変換された音信号の信号レベルを増幅し、呼出音拡声用のスピーカ（以下、「呼出音拡声用スピーカ」という。）ＳＰ１に出力する電力増幅器１５０と、を備えている。
【００４０】
また、この携帯用電話機１００は、音データを再生する際の制御など各部を制御する電話機用システム制御部１６０と、各部を制御する際に用いられるＲＯＭ／ＲＡＭ１７０と、各種の操作を行う操作部１８０と、操作部１８０と連動しつつ各種の表示を行う表示部１９０と、当該表示部１９０の表示制御を行う表示制御部２００と、他の電話機との通話を行う際に音声が入力されるマイクロホンＭと、入力された音声を所定の信号に処理する音声処理部２１０と、通話時に受話音声を受話用スピーカＳＰ２に出力するための受話制御部２３０と、を備えている。
【００４１】
なお、本実施形態の電話機用通信制御部１１０は、本発明の第１取得手段および第２取得手段を構成し、データ再生部１３０は、本発明の出力制御手段を構成する。また、本実施形態のＤＳＰ処理部１４０は、本発明の調整手段を構成する。
【００４２】
電話機用通信制御部１１０は、図示しないアンテナを介して電話公衆網回線またはインターネットなどのネットワークＮに接続されるようになっており、電話機用システム制御部１６０の制御の下、携帯用電話機１００などの他の通信端末装置またはサーバ装置３００との通信制御を行うようになっている。
【００４３】
特に、本実施形態の電話機用通信制御部１１０は、操作者の指示に基づいて、サーバ装置３００からＭＩＤＩ（Musical Instrument Digital Interface）フォーマット、ＳＭＡＦ（Synthetic Music Mobile Application Format）またはＭＬＤ形式などの所定形式を有する音データと、当該音データの拡声する際における周波数特性を調整するための特性データを取得し、データ格納部１２０にそれぞれ対応付けて格納するようになっている。
【００４４】
また、この電話機用通信制御部１１０は、サーバ装置３００と通信を行うことによって音データを取得する際に、当該通信端末装置の種別を判断させるとともに当該通信端末装置に該当する特性データを送信させるために、当該通信端末装置の機種を示す種別情報または当該機種を示す情報が含まれるユーザＩＤ（以下、「ＵＩＤ」ともいう。）と呼ばれる識別情報をサーバ装置３００に送信するようになっている。
【００４５】
データ格納部１２０には、サーバ装置３００から取得した視聴目的または着信音として拡声する音データと当該音データにおける特性データが対応付けられて格納されるとともに、これらのデータの他に、他の通信端末装置の所有者の名称を示す氏名、通称名などの名称情報毎に、電話番号を示す電話番号情報、メールアドレスの情報（以下、「アドレス情報」という。）などの種々の情報が格納されるようになっている。
【００４６】
データ再生部１３０は、他の電話機に基づく着信が生じた際に、または、操作者の指示に基づいて、電話機用システム制御部１６０の制御の下、データ格納部１２０に格納されている音データを読み出し、呼出音拡声用スピーカＳＰ１から拡声するために、オーディオデータを生成してＤＳＰ処理部１４０に出力するようになっている。
【００４７】
具体的には、データ再生部１３０は、所定の形式の音データをデコードし、所定形式の制御データ、または、当該制御データおよびＰＣＭ音源などの音源データに変換し、当該制御データに基づいて、音階、音色またはテンポなどが予め規定されている各種の音源データまたはデコードされた音源データを用いてオーディオデータを生成して出力するようになっている。
【００４８】
なお、本実施形態の呼出拡声用スピーカＳＰ１は、着信音の拡声の他に、視聴目的によって拡声される音データについても拡声を行うようになっている。
【００４９】
ＤＳＰ処理部１４０は、主に中央演算処理装置（ＣＰＵ）によって構成され、データ再生部１３０から出力されたオーディオデータに対して種々の音処理その他の処理を行うようになっている。具体的には、このＤＳＰ処理部１４０は、データ再生部１３０から出力されたオーディオデータに対して遅延処理および周波数特性の調整処理などの音処理を行うとともに、デジタル信号をアナログ信号に変換するデジタル／アナログ（以下、「Ｄ／Ａ」という。）変換処理を行うようになっており、Ｄ／Ａ変換処理されたアナログ信号を音信号として電力増幅器１５０に出力するようになっている。
【００５０】
特に、このＤＳＰ処理部１４０は、拡声すべきオーディオデータの周波数特性の調整に関しては、音データを再生する際に当該音データに対応付けられて格納されている特性データを読み出し、当該読み出した特性データに基づいて予め定められた周波数帯域毎の信号レベルを調整するようになっている。
【００５１】
例えば、本実施形態のＤＳＰ処理部１４０は、周波数特性の調整するためのイコライザ機能として、６バンド、すなわち、５００Ｈｚ、１ｋＨｚ、２ｋＨｚ、４ｋＨｚ、８ｋＨｚおよび１６ｋＨｚの各周波数を中心周波数とする周波数帯域毎に信号レベルを調整するようになっており、特性データに基づいて、周波数帯域毎に「０」ｄＢを基準として信号レベル値が設定され、音データが拡声される際に周波数帯域毎に当該設定された信号レベルに増幅して電力増幅器１５０に出力するようになっている。
【００５２】
電力増幅器１５０には、ＤＳＰ処理された音信号が入力されるようになっており、この電力増幅器１５０は、電話機用システム制御部１６０の制御の下、操作部１８０よって指定された音量の指示に基づいて音信号の信号レベルを増幅し、増幅された音信号を呼出音拡声用スピーカＳＰ１に出力するようになっている。
【００５３】
電話機用システム制御部１６０は、主に中央演算処理装置（ＣＰＵ）によって構成されるとともに、バスＢによって各部と接続されており、携帯用電話機１００の全般的な機能を総括的に制御するようになっている。
【００５４】
具体的には、このシステム制御部は、通話機能、通信機能などの携帯用電話機１００全体の動作を制御する際に、ＲＯＭ／ＲＡＭ１７０に格納される制御プログラムを読み出して各処理を実行し、当該ＲＯＭ／ＲＡＭ１７０に処理中のデータを一時的に保持するようになっている。
【００５５】
特に、この電話機用システム制御部１６０は、音データおよび特性データをサーバ装置３００から取得する際に、操作部１８０の指示に基づいて、操作者が所望する音データおよび特性データを電話機用通信制御部１１０に取得させ、当該取得させた音データおよび特性データを対応付けてデータ格納部１２０に格納させるようになっている。また、この電話機用システム制御部１６０は、音データを拡声する際に、ＤＳＰ処理部１４０を制御して周波数帯域毎の信号レベルの調整制御を行わせるようになっている。
【００５６】
操作部１８０は、各操作指令を入力する操作ボタン、テンキーおよびその他の数字キーなど、多数のキーにより構成されている。本実施形態の操作部１８０は、通話または着信における種々の操作を行うときに用いられるとともに、音データをサーバ装置３００から取得する際および音データを拡声する際に用いられるようになっている。
【００５７】
表示部１９０は、液晶素子またはＥＬ（Electro Luminescence）素子によって構成され、表示制御部２００にて生成された表示データに基づいて所定の画像を表示するようになっている。
【００５８】
表示制御部２００は、電話機用システム制御部１６０の制御の下、他の電話機との通話を行う際に、または、他の通信端末装置と通信を行う際に表示部１９０に種々の画像を表示するための表示データを生成するようになっている。
【００５９】
音声処理部２１０は、電話機用システム制御部１６０の制御の下、他の電話機との通話を行う際に、マイクロホンＭを介して入力された送話する音声に対して所定の処理を行い、電話機用通信制御部１１０を介して通話先に送話音声をデータとして送信するようになっている。
【００６０】
受話制御部２３０は、システム制御部の制御の下、他の電話機との通話を行う際に、受話音声を受話用スピーカＳＰ２に拡声させるようになっている。
【００６１】
次に、図３を用いて本実施形態のおけるサーバ装置３００の構成について説明する。なお、図３は、本実施形態におけるサーバ装置３００の構成を示す構成図である。
【００６２】
本実施形態のサーバ装置３００は、図２に示すように、ネットワークＮを介して携帯用電話機１００とデータ通信を行サーバ用通信制御部３１０と、音データおよび各音データにおける特性データが記憶されるサーバ用データベース３２０と、音データを配信する際に配信先の携帯用電話機１００の種別を判断する種別判断部３３０と、各部の制御を行うサーバ用システム制御部３４０と、から構成されている。
【００６３】
なお、例えば、本実施形態のサーバ用通信制御部３１０は、本発明の第１配信手段および第２配信手段を構成し、サーバ用データベース３２０は、本発明のデータベースを構成する。また、例えば、本実施形態の種別判断部３３０は、本発明の判断手段を構成する。
【００６４】
サーバ用通信制御部３１０は、電話公衆網回線またはインターネットなどのネットワークＮに接続されるようになっており、サーバ用システム制御部３４０の制御の下、携帯用電話機１００との通信回線を確立し、音データまたは特性データのデータ配信および当該データ配信に関する通信制御を行うようになっている。
【００６５】
具体的には、このサーバ用通信制御部３１０は、携帯用電話機１００からの指示に基づいて、サーバ用データベース３２０に記憶されている音データの一覧を示す表データ（以下、「一覧表データ」という。）、当該通信端末装置によって指定された音データ、および、配信する音データにおける特性データを取得し、当該各取得したデータを携帯用電話機１００に送信するようになっている。
【００６６】
サーバ用データベース３２０は、各音データと、各音データにおける各携帯用電話機１００の種別に対応付けられた特性データを格納するためのデータベースであり、サーバ用システム制御部３４０の制御の下、サーバ用通信制御部３１０の指示に基づいて、格納されている音データの一覧表データ、該当する音データおよび当該音データにおける特性データを抽出してサーバ用通信制御部３１０に出力するようになっている。
【００６７】
種別判断部３３０は、音データを携帯用電話機１００に配信する際に、携帯用電話機１００からの種別情報または識別情報に基づいて、当該携帯用電話機１００の種別を判断するようになっており、判断された種別をサーバ用システム制御部３４０に通知するようになっている。
【００６８】
具体的には、種別判断部３３０は、携帯用電話機１００の機種を示す種別情報、または、当該携帯用電話機１００の機種を示す情報が含まれた識別情報に基づいて、当該携帯用電話機１００の種別を判断するようになっており、判断された機種における特性データを音データとともに携帯用電話機１００に配信されるように、当該判断された種別をサーバ用システム制御部３４０に通知するようになっている。
【００６９】
サーバ用システム制御部３４０は、例えば、ＣＰＵ、ＲＯＭ、ＲＡＭおよびハードディスクを有し、サーバ装置３００の各部を制御するようになっている。特に、ＲＯＭには、サーバ装置３００の各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理を実行し、ＲＡＭはワークエリアとして用いられるようになっている。
【００７０】
次に、図４および図５を用いて本実施形態のデータ配信システムＳにおける音データの配信に係る携帯用電話機１００およびサーバ装置３００の処理について説明する。なお、図４および図５は、本実施形態の携帯用電話機１００およびサーバ装置３００において音データを配信する際の送信処理および受信して拡声を行う受信拡声処理の動作を示すフローチャートである。
【００７１】
以下の説明では、携帯用電話機１００において、サーバ装置３００に記憶されている複数の音データの中から一の音データを特定させて受信させ、当該受信させた音データを拡声する際の動作として説明する。また、サーバ装置３００におけるサーバ用データベース３２０には複数の音データが記憶されているものとする。
【００７２】
まず、携帯用電話機１００において、操作者が操作部１８０を介して音データをサーバ装置３００から取得するための要求指示（以下、「データ取得指示」という。）が入力されると、電話機用システム制御部１６０は、当該データ取得指示を検出し（ステップＳ１０１）、電話機用通信制御部１１０にサーバ装置３００との通信回線の確立をするための要求指示（以下、「確立要求」という。）をサーバ装置３００に送信させ、サーバ装置３００から送信される通信回線の確立の確認を示す情報（以下、「確認情報」という。）を受信するまで待機させる（ステップＳ１０２）。
【００７３】
このとき、サーバ装置３００においては、サーバ用通信制御部３１０が携帯用電話機１００から送信された確立要求を受信すると（ステップＳ２０１）、サーバ用システム制御部３４０は、サーバ用通信制御部３１０に、確立要求を送信した携帯用電話機１００との認証その他の処理を行うとともに、確認情報を携帯用電話機１００に送信させる（ステップＳ２０２）。
【００７４】
次いで、サーバ用システム制御部３４０は、サーバ用通信制御部３１０に携帯用電話機１００との通信回線を確立させるとともに、サーバ用データベース３２０に記憶されている音データの一覧を示す一覧表データを生成し、生成された一覧表データを携帯用電話機１００に送信する（ステップＳ２０３）。
【００７５】
なお、サーバ用システム制御部３４０は、サーバ用通信制御部３１０が携帯用電話機１００から送信された音データの配信要求を受信するまで動作を待機させる。
【００７６】
一方、携帯用電話機１００においては、電話機用通信制御部１１０がサーバ装置３００から送信された確認情報を受信すると（ステップＳ１０３）、電話機用システム制御部１６０は、電話機用通信制御部１１０にサーバ装置３００との通信回線を確立させて、一覧表データが受信されるまで待機させる（ステップＳ１０４）。
【００７７】
次いで、電話機用通信制御部１１０が一覧表データを受信すると（ステップＳ１０５）、電話機用システム制御部１６０は、表示制御部２００を制御して表示部１９０に受信した一覧表データを表示させ、操作者における音データの特定指示、すなわち、一の音データにおける選択が入力されるまで待機する（ステップＳ１０６）。
【００７８】
次いで、操作部１８０を介して表示されている一覧表データから一の音データが選択され、電話機用システム制御部１６０が音データの特定指示を検出すると（ステップＳ１０７）、当該電話機用システム制御部１６０は、電話機用通信制御部１１０に特定された音データの配信要求をサーバ装置３００に送信させ、音データが受信されるまで待機させる（ステップＳ１０８）。
【００７９】
このとき、サーバ装置３００においては、サーバ用通信制御部３１０が携帯用電話機１００から送信された配信要求を受信すると（ステップＳ２０４）、当該サーバ用システム制御部３４０は、サーバ用通信制御部３１０に、配信要求によって示された音データをサーバ用データベース３２０から読み出させるとともに（ステップＳ２０５）、読み出させた音データを携帯用電話機１００に送信させ、特性データにおける送信指示が受信されるまで待機させる（ステップＳ２０６）。
【００８０】
他方、通信端末装置においては、電話機用通信制御部１１０が音データを受信すると（ステップＳ１０９）、電話機用システム制御部１６０は、電話機用通信制御部１１０に受信した音データをデータ格納部１２０に格納させる（ステップＳ１１０）。
【００８１】
次いで、電話機用システム制御部１６０は、電話機用通信制御部１１０に当該携帯用電話機１００における種別を示す種別情報とともに特性データを送信させるための送信要求をサーバ装置３００に送信させ、特性データが受信されるまで待機させる（ステップＳ１１１）。
【００８２】
このとき、サーバ装置３００においては、サーバ用通信制御部３１０が特性データの送信要求を受信すると（ステップＳ２０７）、サーバ用システム制御部３４０は、種別判断部３３０に送信要求とともに送信された種別情報に基づいて携帯用電話機１００の種別を判断させる（ステップＳ２０８）。
【００８３】
次いで、サーバ用システム制御部３４０は、種別判断部３３０によって判断された携帯用電話機１００の種別に基づいて当該種別に該当する特性データを、サーバ用通信制御部３１０を介して携帯用電話機１００に送信させる（ステップＳ２０９）。
【００８４】
そして、サーバ用システム制御部３４０は、特性データの送信後、サーバ用通信制御部３１０に携帯用電話機１００との通信回線を切断させ（ステップＳ２１０）、送信処理を終了させる。
【００８５】
また、携帯用電話機１００においては、電話機用通信制御部１１０が特性データを受信すると（ステップＳ１１２）、電話機用システム制御部１６０は、電話機用通信制御部１１０にサーバ装置３００との通信回線を切断させるとともに、受信した特性データをデータ格納部１２０にステップＳ１１０の処理において記憶した音データに対応付けて記憶させ、操作部１８０に再生指示が入力されるまで待機させる（ステップＳ１１３）。
【００８６】
次いで、電話機用システム制御部１６０が、操作部１８０を介して操作者の再生指示を検出すると（ステップＳ１１４）、電話機用システム制御部１６０は、データ格納部１２０に格納され、当該配信されるコンテンツデータに対応する特性データを読み出してＤＳＰ処理部１４０に各周波数帯域毎の信号レベルを設定する（ステップＳ１１５）。
【００８７】
最後に、電話機用システム制御部１６０は、データ再生部１３０にデータ格納部１２０から該当する音データを読み出させつつ当該音データの再生を開始させ（ステップＳ１１６）、本動作を終了させる。
【００８８】
なお、データ再生部１３０は、音データの再生が開始されると、音データの読み出しが終了するまで、当該音データの再生を行い、当該音データの読み出しが終了すると当該音データの再生を終了する。
【００８９】
また、上述の動作では、音データが配信された後に、配信された音データを拡声するようになっているが、勿論、既にデータ格納部１２０に格納されている複数の音データから選択して当該選択された音データを再生して拡声するようにしてもよい。この場合には、上述のステップＳ１１４〜ステップＳ１１６の処理を行う。ただし、電話機用システム制御部１６０は、ステップＳ１１４の処理の前処理として、ステップＳ１０６の処理と同様に、データデータ格納部１２０に既に格納された音データの一覧を示す表データを一覧表データとして表示部１９０に表示させるとともに、操作部１８０を介して一覧表データに基づいて一の音データが特定された場合に、当該特定する際の指示を再生指示としてステップＳ１１５およびステップＳ１１６の処理を行うようになっている。
【００９０】
以上本実施形態のデータ配信システムＳは、携帯用電話機１００において特性データに基づいてコンテンツデータである音データを出力させることによって、携帯用電話機１００の種別毎に特性データを用意すれば、当該携帯用電話機１００の種別毎にコンテンツデータを用意する必要もなく、種々の携帯用電話機１００にて各コンテンツデータを的確に出力させることができるので、容易にかつ低コストにてコンテンツデータを配信することができる。
【００９１】
また、本実施形態のデータ配信システムＳは、音データの指示を行う際に、携帯用電話機１００のユーザにおける当該携帯用電話機１００の種別の特定を行うための操作が不要となるので、当該ユーザの音データの配信時における煩雑さを解消させることができる。
【００９２】
また、本実施形態のデータ配信システムＳは、特性データに基づいて音データを出力させることによって、当該通信端末装置毎の出力特性に基づいて出力させることができるので、携帯用電話機１００の種別毎に一の音データを用意するだけであっても、制作者の意図が反映された音データを的確に出力することができる。
【００９３】
なお、本実施形態では、一の音データに対して一の特性データを配信し、当該対応付けられた特性データに基づいて音データを再生するようになっているが、特性データが、ロック、ポップス、または音声など、各周波数帯域の信号レベルがそれぞれ規定された複数の特性データから構成され、携帯用電話機１００のユーザの選択によって当該データ群から一の特性データに基づいて、ＤＳＰ処理部１４０における周波数帯域が調整され、音データが再生されるようにしてもよい。例えば、ロックとして規定された特性データは、低域の周波数帯域の信号レベルが他の周波数帯域より高く、音声として規定された特性データは、中域の周波数帯域の信号レベルが他の周波数帯域より高いなど、それぞれ特性データ毎に特徴を備えて各周波数帯域の信号レベルが規定されている。そして、この場合には、音データが再生される毎に、または、任意のタイミングにて、操作部１８０を介して表示部１９０に表示されたデータ群から一の特性データを選択させるようにする。
【００９４】
また、本実施形態では、ＤＳＰ処理部１４０において拡声されるべき音データの周波数特性を調整するようになっているが、勿論、当該音データを音信号に変換した後に、音信号に対して周波数特性を調整するようにしてもよい。
【００９５】
また、本実施形態では、携帯用電話機１００を用いて説明しているが、勿論、音データの送受信および拡声が可能な通信端末装置であれば本発明を適用することができる。
【００９６】
また、本実施形態の送信処理および受信拡声処理では、視聴目的として拡声される音データを用いて説明しているが、勿論、着信音などの拡声する音データ全てについても本発明を適用することができる。
【００９７】
また、本実施形態の携帯用電話機１００は、受信拡声処理において、音データの受信だけでなく、音データの拡声出力まで行うようになっているが、音データの受信のみ行うようにしてもよい。
【００９８】
また、本実施形態の受信表示処理および送信処理では、コンテンツデータとして音データが送受信された後に特性データが送受信されるようになっているが、音データデータが送受信される前に、携帯用電話機１００の種別を判別して特性データを送受信するようにしてもよい。
【００９９】
〔第２実施形態〕
次に、図６および図７を用いてコンテンツデータを携帯用電話機１００に配信するデータ配信システムＳの第２実施形態について説明する。
【０１００】
本実施形態のデータ配信システムＳは、第１実施形態において、音データを配信し、当該配信された音データを特性データに基づいて拡声する点に代えて、動画像データを含む画像データを配信し、当該配信された画像データを特性データに基づいて表示する点に特徴があり、その他の構成は、第１実施形態と同様であるため、同一部材には同一の番号を付してその説明を省略する。
【０１０１】
まず、本実施形態の携帯用電話機１００における特徴的な部材の構成について説明する。
【０１０２】
本実施形態の電話機用通信制御部１１０は、操作者の指示に基づいて、サーバ装置３００からＪＰＥＧ（Joint Photographic Coding Experts Group）形式、ＧＩＦ（Graphics Interchange Format）形式、ＰＮＧ（Portable Network Graphics）形式、ＢＭＰ（Bit MaP）形式、ＭＰＥＧ−２（Moving Picture Coding Experts Group Layer-2）形式、ＭＰＥＧ−４（Moving Picture Coding Experts Group Layer-4）形式などの所定形式を有する画像データと、当該画像データを表示する際における画像特性および出力特性を調整するための特性データを取得し、データ格納部１２０にそれぞれ対応付けて格納するようになっている。
【０１０３】
また、この電話機用通信制御部１１０は、第１実施形態と同様に、サーバ装置３００と通信を行うことによって画像データを取得する際に、当該通信端末装置の種別を判断させ、当該通信端末装置によって指定された特性データを送信させるために、当該通信端末装置の識別情報を示すＵＩＤをサーバ装置３００に送信するようになっている。
【０１０４】
なお、本実施形態のサーバ装置３００におけるサーバ用データベース３２０には、所定形式を有する複数の画像データが特性データとともに記憶されており、本実施形態のデータ格納部１２０には、第１実施形態における音データと同様に、画像データと当該画像データにおける特性データとが対応付けて記憶されている。
【０１０５】
本実施形態の表示制御部２００は、電話機用システム制御部１６０の制御の下、他の電話機との通話や他の通信端末装置と通信を行う際に、または、画像データを再生する際に、表示部１９０に種々の画像を表示するための表示データを生成するようになっている。
【０１０６】
特に、本実施形態の表示制御部２００は、表示すべき画像データの出力特性の調整に関しては、画像データを表示部１９０に表示させる際に、当該画像データに対応付けられて格納されている特性データを読み出し、特性データに基づいて、表示される画像の輝度の特性を示す輝度特性、当該表示される画像の明度を示すコントラスト、当該表示される画像の解像度を示す画質特性（シャープネス）、画像の階調応答特性における数値補正を行うためのγ補正値などの各画像特性を調整するとともに、表示部１９０に表示可能なサイズを示す画像サイズ（フレームサイズ）、１秒間の画面更新量を示すフレームレート、ピクセル数および画像表示における縦横の回転制御など各画像の出力特性を調整するようになっている。
【０１０７】
例えば、本実施形態の表示制御部２００は、特性データに基づいて、各特性を調整するための値を変更するようになっており、変更された各値に基づいて、画像特性の調整および出力特性の調整を行い、当該調整された画像データを信号に変換しつつ、表示部１９０に出力するようになっている。
【０１０８】
なお、例えば、本実施形態における表示制御部２００は、本発明の調整手段を構成する。
【０１０９】
次に、図６および図７を用いて本実施形態のデータ配信システムＳにおける画像データの配信に係る携帯用電話機１００およびサーバ装置３００の処理について説明する。なお、図４および図５は、本実施形態の携帯用電話機１００およびサーバ装置３００において画像データを配信する際の送信処理および受信して表示を行う受信表示処理の動作を示すフローチャートである。
【０１１０】
以下の説明では、携帯用電話機１００において、サーバ装置３００に記憶されている複数の画像データの中から一の画像データを特定させて受信させ、当該受信させた画像データを表示する際の動作として説明する。また、サーバ装置３００には複数の画像データがサーバ用データベース３２０に記憶されているものとする。
【０１１１】
まず、携帯用電話機１００において、操作者が操作部１８０を介して画像データをサーバ装置３００から取得するためのデータ取得指示が入力されると、電話機用システム制御部１６０は、当該データ取得指示を検出し（ステップＳ３０１）、電話機用通信制御部１１０にサーバ装置３００との通信回線の確立をするための確立要求をサーバ装置３００に送信させ、サーバ装置３００から送信される通信回線の確立の確認を示す確認情報を受信するまで待機させる（ステップＳ３０２）。
【０１１２】
このとき、サーバ装置３００においては、サーバ用通信制御部３１０が携帯用電話機１００から送信された確立要求を受信すると（ステップＳ４０１）、サーバ用システム制御部３４０は、サーバ用通信制御部３１０に、確立要求を送信した携帯用電話機１００との認証その他の処理を行うとともに、確認情報を携帯用電話機１００に送信させる（ステップＳ４０２）。
【０１１３】
次いで、サーバ用システム制御部３４０は、サーバ用通信制御部３１０に携帯用電話機１００との通信回線を確立させるとともに、サーバ用データベース３２０に記憶されている画像データの一覧を示す一覧表データを生成し、生成された一覧表データを携帯用電話機１００に送信する（ステップＳ４０３）。
【０１１４】
なお、サーバ用システム制御部３４０は、サーバ用通信制御部３１０が携帯用電話機１００から送信された画像データの配信要求を受信するまで動作を待機させる。
【０１１５】
一方、携帯用電話機１００においては、電話機用通信制御部１１０がサーバ装置３００から送信された確認情報を受信すると（ステップＳ３０３）、電話機用システム制御部１６０は、電話機用通信制御部１１０にサーバ装置３００との通信回線を確立させて、一覧表データが受信されるまで待機させる（ステップＳ３０４）。
【０１１６】
次いで、電話機用通信制御部１１０が一覧表データを受信すると（ステップＳ３０５）、電話機用システム制御部１６０は、表示制御部２００を制御して表示部１９０に受信した一覧表データを表示させ、操作者における画像データの特定指示、すなわち、一の画像データにおける選択が入力されるまで待機する（ステップＳ３０６）。
【０１１７】
次いで、操作部１８０を介して表示されている一覧表データから一の画像データが選択され、電話機用システム制御部１６０が画像データの特定指示を検出すると（ステップＳ３０７）、当該電話機用システム制御部１６０は、電話機用通信制御部１１０に特定された画像データの配信要求をサーバ装置３００に送信させ、画像データが受信されるまで待機させる（ステップＳ３０８）。
【０１１８】
このとき、サーバ装置３００においては、サーバ用通信制御部３１０が携帯用電話機１００から送信された配信要求を受信すると（ステップＳ４０４）、当該サーバ用システム制御部３４０は、サーバ用通信制御部３１０に、配信要求によって示された画像データをサーバ用データベース３２０から読み出させるとともに（ステップＳ４０５）、読み出させた画像データを携帯用電話機１００に送信させ、特性データにおける送信指示が受信されるまで待機させる（ステップＳ４０６）。
【０１１９】
他方、通信端末装置においては、電話機用通信制御部１１０が画像データを受信すると（ステップＳ３０９）、電話機用システム制御部１６０は、電話機用通信制御部１１０に受信した画像データをデータ格納部１２０に格納させる（ステップＳ３１０）。
【０１２０】
次いで、電話機用システム制御部１６０は、電話機用通信制御部１１０に当該携帯用電話機１００における種別を示す種別情報とともに特性データを送信させるための送信要求をサーバ装置３００に送信させ、特性データが受信されるまで待機させる（ステップＳ３１１）。
【０１２１】
このとき、サーバ装置３００においては、サーバ用通信制御部３１０が特性データの送信要求を受信すると（ステップＳ４０７）、サーバ用システム制御部３４０は、種別判断部３３０に送信要求とともに送信された種別情報に基づいて携帯用電話機１００の種別を判断させる（ステップＳ４０８）。
【０１２２】
次いで、サーバ用システム制御部３４０は、種別判断部３３０によって判断された携帯用電話機１００の種別に基づいて当該種別に該当する特性データを、サーバ用通信制御部３１０を介して携帯用電話機１００に送信させる（ステップＳ４０９）。
【０１２３】
そして、サーバ用システム制御部３４０は、特性データの送信後、サーバ用通信制御部３１０に携帯用電話機１００との通信回線を切断させ（ステップＳ４１０）、送信処理を終了させる。
【０１２４】
また、携帯用電話機１００においては、電話機用通信制御部１１０が特性データを受信すると（ステップＳ３１２）、電話機用システム制御部１６０は、電話機用通信制御部１１０にサーバ装置３００との通信回線を切断させるとともに、受信した特性データをデータ格納部１２０にステップＳ１１０の処理において記憶した画像データに対応付けて記憶させ、操作部１８０に再生指示が入力されるまで待機する（ステップＳ３１３）。
【０１２５】
次いで、電話機用システム制御部１６０が、操作部１８０を介して操作者の再生指示を検出すると（ステップＳ３１４）、電話機用システム制御部１６０は、データ格納部１２０に格納され、当該表示されるコンテンツデータに対応する特性データを読み出して表示制御部２００に画像特性および出力特性に関する各値を設定する（ステップＳ３１５）。
【０１２６】
最後に、電話機用システム制御部１６０は、表示制御部２００にデータ格納部１２０から該当する画像データを読み出させつつ当該画像データを表示させ（ステップＳ３１６）、本動作を終了させる。
【０１２７】
なお、携帯用電話機１００において表示される画像データが、動画像データの場合には、ステップＳ３１６の処理において、動画像データの再生を開始し、動画像データの再生が開始されると、動画像データの読み出しが終了するまで、当該動音データの再生を行い、当該動音データの読み出しが終了すると当該動音データの再生を終了する。
【０１２８】
また、上述の動作では、画像データが配信された後に、配信された画像データを表示するようになっているが、勿論、第１実施形態と同様に、既にデータ格納部１２０に格納されている複数の画像データから選択して当該選択された画像データを再生して表示するようにしてもよい。この場合には、上述のステップＳ３１４〜ステップＳ３１６の処理を行う。ただし、電話機用システム制御部１６０は、ステップＳ３１４の処理の前処理として、ステップＳ３０６の処理と同様に、データデータ格納部１２０に既に格納された画像データの一覧を示す表データを一覧表データとして表示部１９０に表示させるとともに、操作部１８０を介して一覧表データに基づいて一の画像データが特定された場合に、当該特定する際の指示を再生指示としてステップＳ３１５およびステップＳ３１６の処理を行うようになっている。
【０１２９】
以上本実施形態のデータ配信システムＳは、携帯用電話機１００において特性データに基づいてコンテンツデータである画像データを出力させることによって、携帯用電話機１００の種別毎に特性データを用意すれば、当該携帯用電話機１００の種別毎にコンテンツデータを用意する必要もなく、種々の携帯用電話機１００にて各コンテンツデータを的確に出力させることができるので、容易にかつ低コストにてコンテンツデータを配信することができる。
【０１３０】
また、本実施形態のデータ配信システムＳは、画像データの指示を行う際に、携帯用電話機１００のユーザにおける当該携帯用電話機１００の種別の特定を行うための操作が不要となるので、当該ユーザの画像データの配信時における煩雑さを解消させることができる。
【０１３１】
また、本実施形態のデータ配信システムＳは、特性データに基づいて画像データを出力させることによって、当該通信端末装置毎の出力特性に基づいて出力させることができるので、携帯用電話機１００の種別毎に一の画像データを用意するだけであっても、制作者の意図が反映された画像データを的確に出力することができる。
【０１３２】
なお、本実施形態では、携帯用電話機１００を用いて説明しているが、勿論、画像データの送受信および表示が可能な通信端末装置であれば本発明を適用することができる。
【０１３３】
また、本実施形態では、待ち受け画面に表示される画像データなどの静止画像の他に、は動画像データなど画像データ全てについても本発明を適用することができる。
【０１３４】
また、本実施形態の携帯用電話機１００は、受信表示処理において、画像データの受信だけでなく、画像データの表示出力まで行うようになっているが、画像データの受信のみ行うようにしてもよい。
【０１３５】
また、本実施形態の受信表示処理および送信処理では、コンテンツデータとして画像データが送受信された後に特性データが送受信されるようになっているが、画像データが送受信される前に、携帯用電話機１００の種別を判別して特性データを送受信するようにしてもよい。
【０１３６】
〔第３実施形態〕
次に、図８および図９を用いてコンテンツデータを携帯用電話機１００に配信するデータ配信システムＳの第３実施形態について説明する。
【０１３７】
本実施形態のデータ配信システムＳは、第２実施形態において、画像データを配信し、特性データに基づいて当該配信された画像データの表示特性を調整して表示する点に代えて、携帯用電話機１００において表示すべき画像を構成するドキュメントデータを配信し、当該配信されたドキュメントデータを特性データに基づいて当該携帯用電話機１００の種別毎に加工することによって表示特性を調整する点に特徴があり、その他の構成は、第１実施形態と同様であるため、同一部材には同一の番号を付してその説明を省略する。
【０１３８】
具体的には、本実施形態のデータ配信システムＳは、携帯用端末装置に表示させる画像構成データ、すなわち、ドキュメントデータのソースコードが規定されているテキストデータと、当該テキストデータを加工してリソースデータを構築するための特性データとを配信させるとともに、当該配信された特性データに基づいてドキュメントデータを加工して携帯用電話機１００の種別に対応付けて表示特性を調整し、調整された画像を当該携帯用電話機１００に表示させるようになっている。
【０１３９】
まず、本実施形態の携帯用電話機１００における特徴的な部材の構成について説明する。
【０１４０】
本実施形態の電話機用通信制御部１１０は、操作者の指示に基づいて、ドキュメントデータのソースコードが規定されているテキストデータをコンテンツデータとして取得するとともに、当該当該テキストデータを加工してリソースデータを構築するための特性データを取得し、データ格納部１２０にそれぞれ対応付けて格納するようになっている。
【０１４１】
例えば、本実施形態の電話機用通信制御部１１０は、ホームページのデータなどのＷＷＷ（World Wide Web）サーバ装置上に生成されたページデータ（以下、「Ｗｅｂページデータ」という。）におけるリソースデータのデータ列の基になるテキストデータを、表示部１９０に表示させる画像を構成するドキュメントデータとして取得するようになっている。
【０１４２】
また、この電話機用通信制御部１１０は、テキストデータに規定されている文書または画像における表示部１９０に表示する際のフォントの種別、色または表示領域などの表示部１９０にドキュメントデータを閲覧可能に構成する上で必要となるデータ列を組み込んで加工を行うためのデータを特性データとして取得するようになっている。
【０１４３】
一方、この電話機用通信制御部１１０は、第２実施形態と同様に、サーバ装置３００と通信を行うことによってドキュメントデータを取得する際に、当該通信端末装置の種別を判断させ、当該通信端末装置によって指定された特性データを送信させるために、当該携帯用電話機１００の機種を示す種別情報または当該機種を示す情報が含まれる識別情報をサーバ装置３００に送信するようになっている。
【０１４４】
なお、本実施形態のサーバ装置３００におけるサーバ用データベース３２０には、所定形式を有する複数のドキュメントデータとしてのテキストデータが、ＵＲＬ（Uniform Resource Locator）と呼ばれる当該ドキュメントデータが記憶されているアドレスを示すデータに基づいて、特性データとともに記憶されており、本実施形態のデータ格納部１２０には、第２実施形態における画像データと同様に、ドキュメントデータと当該ドキュメントデータにおける特性データとが対応付けて記憶されている。
【０１４５】
本実施形態の表示制御部２００は、電話機用システム制御部１６０の制御の下、他の電話機との通話を行う際に、または、他の通信端末装置と通信を行う際に表示部１９０に種々の画像を表示するための表示データを生成するようになっている。
【０１４６】
特に、本実施形態の表示制御部２００は、特性データに基づいて、表示すべきテキストデータを加工し、すなわち、テキストデータに規定されている文書または画像のフォントの種別、表示色または表示領域の特定などのデータ列を組み込み、当該データ列が組み込まれたテキストデータをドキュメントデータとして表示部１９０に出力するようになっている。
【０１４７】
具体的には、この表示制御部２００は、特性データに基づいて、すなわち、特性データによって示される携帯用電話機１００の表示部１９０の特性に基づいて、テキストデータに対して、タグと呼ばれるドキュメントデータとして表示画像を構築するための識別子であって、フォントの大きさ、色、および位置や改行指定、行数指定または画像の大きさ、位置、色および解像度などのテキストデータを携帯用電話機１００の種別に対応させて表示特性を調整するための文字列を組み込み、リソースデータを構築するようになっている。
【０１４８】
また、この表示制御部２００は、リソースデータを読み込んで閲覧するためのアプリケーションプログラム（以下、「ブラウザ」という。）機能を有しており、当該ブラウザを用いてリソースデータに基づいて画像データを構築しつつ、表示部１９０に構築された画像データを表示するようになっている。
【０１４９】
次に、図８および図９を用いて本実施形態のデータ配信システムＳにおけるドキュメントデータの配信に係る携帯用電話機１００およびサーバ装置３００の処理について説明する。なお、図４および図５は、本実施形態の携帯用電話機１００およびサーバ装置３００においてドキュメントデータを配信する際の送信処理および受信表示を行う受信表示処理の動作を示すフローチャートである。
【０１５０】
以下の説明では、携帯用電話機１００において、ＵＲＬに基づいて、サーバ装置３００に記憶されている複数のドキュメントデータの中から一のドキュメントデータを特定させて受信させ、当該受信させたドキュメントデータを表示する際の動作として説明する。また、サーバ装置３００には複数のドキュメントデータがサーバ用データベース３２０に記憶されているものとする。
【０１５１】
まず、携帯用電話機１００において、操作者が操作部１８０を介してＵＲＬが入力されると、電話機用システム制御部１６０は、当該ＵＲＬを検出し（ステップＳ５０１）、電話機用通信制御部１１０にサーバ装置３００との通信回線の確立をするための確立要求をサーバ装置３００に送信させ、サーバ装置３００から送信される通信回線の確立の確認を示す確認情報が受信されるまで待機させる（ステップＳ５０２）。
【０１５２】
このとき、サーバ装置３００においては、サーバ用通信制御部３１０が携帯用電話機１００から送信された確立要求を受信すると（ステップＳ６０１）、サーバ用システム制御部３４０は、サーバ用通信制御部３１０に、確立要求を送信した携帯用電話機１００との認証その他の処理を行うとともに、確認情報を携帯用電話機１００に送信させる（ステップＳ６０２）。
【０１５３】
一方、携帯用電話機１００においては、電話機用通信制御部１１０がサーバ装置３００から送信された確認情報を受信すると（ステップＳ５０３）、電話機用システム制御部１６０は、電話機用通信制御部１１０にサーバ装置３００との通信回線を確立させて、ドキュメントデータであるテキストデータが受信されるまで待機させる（ステップＳ５０４）。
【０１５４】
次いで、サーバ装置３００においては、サーバ用システム制御部３４０は、サーバ用通信制御部３１０に携帯用電話機１００との通信回線を確立させるとともに、当該サーバ用システム制御部３４０は、サーバ用通信制御部３１０に、ＵＲＬに基づいてドキュメントデータをサーバ用データベース３２０から読み出させるとともに（ステップＳ６０３）、読み出させたドキュメントデータを携帯用電話機１００に送信させ、特性データにおける送信指示が受信されるまで待機させる（ステップＳ６０４）。
【０１５５】
他方、通信端末装置においては、電話機用通信制御部１１０がドキュメントデータを受信すると（ステップＳ５０５）、電話機用システム制御部１６０は、電話機用通信制御部１１０に受信したドキュメントデータをデータ格納部１２０に格納させる（ステップＳ５０６）。
【０１５６】
次いで、電話機用システム制御部１６０は、電話機用通信制御部１１０に当該携帯用電話機１００における種別を示す種別情報とともに特性データを送信させるための送信要求をサーバ装置３００に送信させ、特性データが受信されるまで待機させる（ステップＳ５０７）。
【０１５７】
このとき、サーバ装置３００においては、サーバ用通信制御部３１０が特性データの送信要求を受信すると（ステップＳ６０５）、サーバ用システム制御部３４０は、種別判断部３３０に送信要求とともに送信された種別情報に基づいて携帯用電話機１００の種別を判断させる（ステップＳ６０６）。
【０１５８】
次いで、サーバ用システム制御部３４０は、種別判断部３３０によって判断された携帯用電話機１００の種別に基づいて当該種別に該当する特性データを、サーバ用通信制御部３１０を介して携帯用電話機１００に送信させる（ステップＳ６０７）。
【０１５９】
そして、サーバ用システム制御部３４０は、特性データの送信後、サーバ用通信制御部３１０に携帯用電話機１００との通信回線を切断させ（ステップＳ６０８）、送信処理を終了させる。
【０１６０】
また、携帯用電話機１００においては、電話機用通信制御部１１０が特性データを受信すると（ステップＳ５０８）、電話機用システム制御部１６０は、表示制御部２００に、データ格納部１２０に格納されたドキュメントデータを読み出させ、受信した特性データに基づいて、当該ドキュメントデータにおける加工処理を行う（ステップＳ５０９）。
【０１６１】
最後に、電話機用システム制御部１６０は、表示制御部２００に加工処理させたドキュメントデータを出力させるとともに、表示部１９０に表示させ（ステップＳ５１０）、本動作を終了させる。
【０１６２】
以上本実施形態のデータ配信システムＳは、携帯用電話機１００において特性データに基づいてコンテンツデータであるドキュメントデータを表示出力させることによって、携帯用電話機１００の種別毎に特性データを用意すれば、当該携帯用電話機１００の種別毎にコンテンツデータを用意する必要もなく、種々の携帯用電話機１００にて各コンテンツデータを的確に出力させることができるので、容易にかつ低コストにてコンテンツデータを配信することができる。
【０１６３】
また、本実施形態のデータ配信システムＳは、ドキュメントデータの指示を行う際に、携帯用電話機１００のユーザにおける当該携帯用電話機１００の種別の特定を行うための操作が不要となるので、当該ユーザのドキュメントデータの配信時における煩雑さを解消させることができる。
【０１６４】
また、本実施形態のデータ配信システムＳは、特性データに基づいてドキュメントデータを出力させることによって、当該通信端末装置毎の出力特性に基づいて出力させることができるので、携帯用電話機１００の種別毎に一のドキュメントデータを用意するだけであっても、ドキュメントデータを的確に出力することができる。
【０１６５】
なお、本実施形態では、携帯用電話機１００を用いて説明しているが、勿論、ドキュメントデータの送受信および表示が可能な通信端末装置であれば本発明を適用することができる。
【０１６６】
また、本実施形態の受信表示処理および送信処理では、コンテンツデータとしてドキュメントデータが送受信された後に特性データが送受信されるようになっているが、ドキュメントデータデータが送受信される前に、携帯用電話機１００の種別を判別して特性データを送受信するようにしてもよい。
【図面の簡単な説明】
【０１６７】
【図１】第１実施形態のデータ配信システムの構成を示すブロック図である。
【図２】本願に係る携帯用電話機における第１実施形態の構成を示す構成図である。
【図３】本願に係る携帯用電話機における第１実施形態の構成を示す構成図である。
【図４】第１実施形態の携帯用電話機およびサーバ装置において音データを配信する際の送信処理および受信拡声を行う受信拡声処理の動作を示すフローチャート（Ｉ）である。
【図５】第１実施形態の携帯用電話機およびサーバ装置において音データを配信する際の送信処理および受信拡声を行う受信拡声処理の動作を示すフローチャート（II）である。
【図６】第２実施形態の携帯用電話機およびサーバ装置において音データを配信する際の送信処理および受信表示を行う受信表示処理の動作を示すフローチャート（Ｉ）である。
【図７】第２実施形態の携帯用電話機およびサーバ装置において音データを配信する際の送信処理および受信拡声を行う受信表示処理の動作を示すフローチャート（II）である。
【図８】第３実施形態の携帯用電話機およびサーバ装置において音データを配信する際の送信処理および受信表示を行う受信表示処理の動作を示すフローチャート（Ｉ）である。
【図９】第３実施形態の携帯用電話機およびサーバ装置において音データを配信する際の送信処理および受信表示を行う受信表示処理の動作を示すフローチャート（II）である。
【符号の説明】
【０１６８】
Ｓ  …  データ配信システム
１００  …  携帯用電話機
１１０  …  電話機用通信制御部
１２０  …  データ格納部
１３０  …  データ再生部
１４０  …  ＤＳＰ処理部
１５０  …  電力増幅器
１６０  …  システム制御部
１７０  …  ＲＯＭ／ＲＡＭ
１８０  …  操作部
１９０  …  表示部
２００  …  表示制御部
２１０  …  音声処理部
２２０  …  受話制御部
Ｍ  …  マイクロホン
ＳＰ１  …  呼出音拡声用スピーカ
ＳＰ２  …  受話用スピーカ
３００  …  サーバ装置
３１０  …  サーバ用通信制御部
３２０  …  サーバ用データベース
３３０  …  種別判断部
３４０  …  サーバ用システム制御部
【図１】
2007116315.tif 000003
【図２】
2007116315.tif 000004
【図３】
2007116315.tif 000005
【図４】
2007116315.tif 000006
【図５】
2007116315.tif 000007
【図６】
2007116315.tif 000008
【図７】
2007116315.tif 000009
【図８】
2007116315.tif 000010
【図９】
2007116315.tif 000011